(57)【要約】【課題】変動入賞装置の状態変換を複雑にして装飾演出を高めることができ、さらには、変動入賞装置に対する不正行為を防止し易い遊技機を提供する。【解決手段】可変表示装置６は、その外周を囲う状態で装飾枠体１８を配置し、該装飾枠体１８の上部に前記変動入賞装置３５を配設し、該変動入賞装置３５は、当該変動入賞装置３５へ遊技球を入賞可能な開状態と、入賞不能な閉状態とに変換可能な第１可動片３８と、該第１可動片３８の前方から外れて第１可動片３８を露出する開放状態と、第１可動片３８の前方に配置されて第１可動片３８を覆う閉成状態とに変換可能な第２可動片３９と、第１可動片３８と第２可動片３９とを連動可能なリンク機構４０と、第１可動片３８、第２可動片３９およびリンク機構４０を駆動する駆動機構４１とを備え、第１可動片３８を開状態へ変換すると、リンク機構４０を介して第２可動片３９を連動して開放状態へ変換する。【選択図】図８
2007202885.tif 000002
【特許請求の範囲】
【請求項１】
複数の識別情報による可変表示遊技を実行可能な可変表示装置と、遊技球を入賞可能な変動入賞装置と、を備え、可変表示遊技の結果態様が特別結果態様となった場合に、特別遊技状態を発生して変動入賞装置を遊技球が入賞可能な状態に変換する遊技機において、
前記可変表示装置は、その外周を囲う状態で装飾枠体を配置し、該装飾枠体の上部に前記変動入賞装置を配設し、
該変動入賞装置は、
当該変動入賞装置へ遊技球を入賞可能な開状態と、入賞不能な閉状態とに変換可能な第１可動片と、
該第１可動片の前方から外れて第１可動片を露出する開放状態と、第１可動片の前方に配置されて第１可動片を覆う閉成状態とに変換可能な第２可動片と、
前記第１可動片と第２可動片とを連動可能なリンク機構と、
前記第１可動片、第２可動片およびリンク機構を駆動する駆動機構と、
を備え、
前記第１可動片を開状態へ変換すると、リンク機構を介して第２可動片を連動して開放状態へ変換することを特徴とする遊技機。
【請求項２】
前記リンク機構は、
前記第１可動片と駆動機構とを接続する第１リンク部材と、
該第１リンク部材と第２可動片とを接続する第２リンク部材と、
前記第１リンク部材と第２リンク部材とを係合する係合状態と、係合状態を解除する解除状態とに変換可能な係合機構と、
を備え、
前記駆動機構により第１リンク部材を駆動して第１可動片を開状態へ変換すると、係合機構が係合状態へ変換して第１可動片の動作により生じる動力を第２リンク部材へ伝達して、第２可動片を開放状態へ変換し、
前記駆動機構により第１リンク部材を駆動して第１可動片を閉状態へ変換すると、係合機構が解除状態へ変換することを許容し、第１可動片と第２可動片との連動を阻止可能としたことを特徴とする請求項１に記載の遊技機。
【発明の詳細な説明】
【技術分野】
【０００１】
本発明は、可変表示遊技を実行可能な可変表示装置と、遊技球を入賞可能な変動入賞装置とを備えたパチンコ遊技機等の遊技機に関する。
【背景技術】
【０００２】
従来の遊技機、例えば、パチンコ遊技機においては、遊技領域に、複数の識別情報による可変表示遊技を実行可能な可変表示装置と、開閉して遊技球を入賞可能な変動入賞装置とを備え、可変表示遊技の結果態様が特別結果態様となった場合に、特別遊技状態を発生して変動入賞装置を遊技球が入賞可能な状態に変換するように構成されている。また、可変表示装置の下方に変動入賞装置を２つ設けたパチンコ遊技機が提案されている（例えば、特許文献１参照。）。さらに、一方の変動入賞装置を可変表示装置の外周部に設けて、遊技の興趣を高めようとすることが考えられている。
【特許文献１】特開２００２−３４６０８４号公報
【発明の開示】
【発明が解決しようとする課題】
【０００３】
ところで、近年では、可変表示装置を大型化して、遊技演出の向上を図ることが試みられている。しかしながら、大型化した可変表示装置を限られた配置スペースに収めるためには、可変表示装置の外周部に設けた変動入賞装置等を小型化しなければならず、変動入賞装置の開閉動作が目立たなくなる。この結果、変動入賞装置の状態変換による装飾演出の効果が減衰し、却って遊技の興趣を低下する虞がある。
【０００４】
さらに、変動入賞装置を単なる開閉部材のみで開閉動作を行うように構成すると、不正部材により開閉部材が開状態に維持され易くなり、この不正な維持状態で遊技球を変動入賞装置へ入賞させる不正行為が行われ易い。
【０００５】
そこで、本発明は、上記の事情に鑑みてなされたものであり、その目的は、変動入賞装置の状態変換を複雑にして装飾演出を高めることができ、さらには、変動入賞装置に対する不正行為を防止し易い遊技機を提供しようとするものである。
【課題を解決するための手段】
【０００６】
本発明は、上記目的を達成するために提案されたものであり、請求項１に記載のものは、複数の識別情報による可変表示遊技を実行可能な可変表示装置と、遊技球を入賞可能な変動入賞装置と、を備え、可変表示遊技の結果態様が特別結果態様となった場合に、特別遊技状態を発生して変動入賞装置を遊技球が入賞可能な状態に変換する遊技機において、
前記可変表示装置は、その外周を囲う状態で装飾枠体を配置し、該装飾枠体の上部に前記変動入賞装置を配設し、
該変動入賞装置は、
当該変動入賞装置へ遊技球を入賞可能な開状態と、入賞不能な閉状態とに変換可能な第１可動片と、
該第１可動片の前方から外れて第１可動片を露出する開放状態と、第１可動片の前方に配置されて第１可動片を覆う閉成状態とに変換可能な第２可動片と、
前記第１可動片と第２可動片とを連動可能なリンク機構と、
前記第１可動片、第２可動片およびリンク機構を駆動する駆動機構と、
を備え、
前記第１可動片を開状態へ変換すると、リンク機構を介して第２可動片を連動して開放状態へ変換することを特徴とする遊技機である。
【０００７】
請求項２に記載のものは、前記リンク機構は、
前記第１可動片と駆動機構とを接続する第１リンク部材と、
該第１リンク部材と第２可動片とを接続する第２リンク部材と、
前記第１リンク部材と第２リンク部材とを係合する係合状態と、係合状態を解除する解除状態とに変換可能な係合機構と、
を備え、
前記駆動機構により第１リンク部材を駆動して第１可動片を開状態へ変換すると、係合機構が係合状態へ変換して第１可動片の動作により生じる動力を第２リンク部材へ伝達して、第２可動片を開放状態へ変換し、
前記駆動機構により第１リンク部材を駆動して第１可動片を閉状態へ変換すると、係合機構が解除状態へ変換することを許容し、第１可動片と第２可動片との連動を阻止可能としたことを特徴とする請求項１に記載の遊技機である。
【発明の効果】
【０００８】
本発明によれば、以下のような優れた効果を奏する。
請求項１に記載の発明によれば、可変表示装置は、その外周を囲う状態で装飾枠体を配置し、該装飾枠体の上部に変動入賞装置を配設し、変動入賞装置は、当該変動入賞装置へ遊技球を入賞可能な開状態と、入賞不能な閉状態とに変換可能な第１可動片と、該第１可動片の前方から外れて第１可動片を露出する開放状態と、第１可動片の前方に配置されて第１可動片を覆う閉成状態とに変換可能な第２可動片と、第１可動片と第２可動片とを連動可能なリンク機構と、第１可動片、第２可動片およびリンク機構を駆動する駆動機構とを備え、第１可動片を開状態へ変換すると、リンク機構を介して第２可動片を連動して開放状態へ変換するので、変動入賞装置の状態変換を複雑にして装飾演出を高めることができ、遊技の興趣の向上を図ることができる。さらに、変動入賞装置の装飾部品としても機能する各可動片を前後に配置した状態で変換することができ、装飾性を高めた変動入賞装置であっても、その配置スペースが上下左右に広くなることを抑えることができる。したがって、限られた遊技機内の空間を有効に活用することができる。そして、第１可動片の前方に第２可動片を配置することができ、第２可動片により不正部材が第１可動片に到達することを阻止し易い。したがって、不正部材により第１可動片を開状態に維持して遊技球を変動入賞装置へ入賞させようとする不正行為が行われることを防ごうとすることができる。
【０００９】
請求項２に記載の発明によれば、リンク機構は、第１可動片と駆動機構とを接続する第１リンク部材と、該第１リンク部材と第２可動片とを接続する第２リンク部材と、第１リンク部材と第２リンク部材とを係合する係合状態と、係合状態を解除する解除状態とに変換可能な係合機構とを備え、駆動機構により第１リンク部材を駆動して第１可動片を開状態へ変換すると、係合機構が係合状態へ変換して第１可動片の動作により生じる動力を第２リンク部材へ伝達して、第２可動片を開放状態へ変換し、駆動機構により第１リンク部材を駆動して第１可動片を閉状態へ変換すると、係合機構が解除状態へ変換することを許容し、第１可動片と第２可動片との連動を阻止可能としたので、第２可動片が不正部材により開放状態に維持されたとしても、第１可動片を閉状態に変換することができ、不正行為により遊技球が変動入賞装置へ入賞することを阻止することができる。
【発明を実施するための最良の形態】
【００１０】
以下、代表的な遊技機であるパチンコ遊技機を例に挙げて本発明の実施の最良の形態を図面に基づき説明する。図１はパチンコ遊技機の遊技盤の正面図である。
パチンコ遊技機の遊技盤１は、図１に示すように、その表面にガイドレール３やサイドケース４等の区画部材を止着して遊技領域５を区画形成し、該遊技領域５内の略中央に可変表示装置（センターケース）６を配設し、該可変表示装置６内に表示部７を設けて可変表示や普通図柄表示等を行えるように構成されている。また、可変表示装置６の側方（図１中左側方）には、普通図柄表示始動用の普図始動ゲート９を配置し、可変表示装置６の下方には、可変表示始動用の始動入賞口１０を配置し、該始動入賞口１０の左右両側に羽根状の開閉部材１０ａを備え、始動入賞口１０の左右両側方には、一般入賞口１１と、発光により各種の装飾表示を行うサイドランプ１２とを配置している。さらに、始動入賞口１０の下方には、大入賞口１３を配置し、該大入賞口１３の下方であって遊技領域５の下縁部には、入賞せずに流下した遊技球を回収するアウト口１４を設け、普図始動ゲート９、始動入賞口１０、大入賞口１３や可変表示装置６等の取付部分を除いた遊技領域５内に障害釘（図示せず）を植設したり、あるいは、遊技球の流下方向を変える風車（図示せず）を配置したりしている。
【００１１】
次に、可変表示装置６について説明する。
可変表示装置６は、図２および図３に示すように、前面側が開口した凹室１６を区画形成する箱状の表示装置基部１７と、凹室１６の開口縁部に可変表示装置６の外周を囲う状態で配置され、遊技盤１の表面に取り付ける装飾枠体１８とを備えて構成され、表示装置基部１７の奥側（後側）に矩形状の大きな表示開口１９を開設し、該表示開口１９から表示部７を前方へ臨ませ、該表示部７において複数の識別情報を表示して可変表示遊技等を実行できるように構成されている。さらに、表示開口１９の下縁部には、ＬＥＤ等の発光体および矩形状レンズからなる可変表示記憶表示部２０を備え、遊技球が始動入賞口１０に入賞したが未処理となっている可変表示遊技の回数を、可変表示記憶表示部２０を点灯することで所定数（例えば４個）まで表示できるように構成されている。
【００１２】
装飾枠体１８の上部には、横長な枠体ベース部材２４（図４参照）を備え、該枠体ベース部材２４の前面側の上部に半円形状の装飾部材２５を配置し、該装飾部材２５の下方には、左右全幅に亘って庇状の鎧部２６を前方へ突設している。さらに、鎧部２６の左右両端部（言い換えると枠体ベース部材２４の左右両端部）から縦長の側辺部２７を前方へ突出した状態で下方へ延設している。また、凹室１６の底部には、遊技球を横方向（前後方向および左右方向）へ転動可能な球転動部２８を配置して、該球転動部２８が左右の側辺部２７の下端の間に位置するように設定し、右側の側辺部２７には縦長な装飾ユニット２９を設け、左側の側辺部２７には遊技球が流下可能な球導出路（ワープ流路）３０を設けている。そして、球導出路３０の入口をガイドレール３側の側辺部２７に外方へ開放した状態で開設し、球導出路３０の出口を球転動部２８の側方（図２中左側方）に開設している。したがって、球導出路３０は、遊技領域５を流下する遊技球、詳しくは遊技領域５のうちガイドレール３と可変表示装置６との間を流下する遊技球を球転動部２８へ導出できるように構成されている。
【００１３】
そして、枠体ベース部材２４のガイドレール３寄り（図２中左寄り）には、遊技球を入賞可能な変動入賞装置３５を備えている。変動入賞装置３５は、図４から図６に示すように、前面側に遊技球が通過可能な入賞通路３６を備えた入賞装置基部３７と、入賞通路３６の入賞口（入り口）３６ａを開閉する第１可動片３８と、該第１可動片３８を前方から被覆可能な第２可動片３９と、第１可動片３８と第２可動片３９とを連動可能なリンク機構４０と、第１可動片３８、第２可動片３９およびリンク機構４０を駆動する駆動機構４１とを備えて構成されている。
【００１４】
入賞装置基部３７は、その前面側の一側寄り（図４中左側寄り）に縦長な入賞通路３６を形成し、該入賞通路３６を枠体ベース部材２４に開設されたベース部材開口２４ａへ後方から挿通し、この状態で枠体ベース部材２４の裏側に止着されている。そして、入賞通路３６の上部の前側部を縦長な略半楕円形状の固定片４４で覆い、入賞通路３６の上部のうち第１可動片３８に対向する側部（図４中左側部）を開放して入賞口３６ａを形成し、該入賞口３６ａを外方（図４中左側方）へ向けて下り傾斜した状態で設定している。また、入賞通路３６の途中には、入賞した遊技球（入賞球）を検出する検出センサ４５を配置し、入賞通路３６の下端には、外方へ延設された球回収樋４６を配置し、該球回収樋４６を介して検出センサ４５により検出された遊技球を変動入賞装置３５の側方へ流下して遊技盤１の後方へ回収できるように構成されている。さらに、入賞口３６ａの下縁部の近傍には、第１可動片３８を軸着する第１回動軸４８を前後方向へ貫通した状態で回動可能に支持し、第１回動軸４８よりも下方であって、入賞通路３６（あるいは検出センサ４５）を挟んで第１回動軸４８とは反対側には、第２可動片３９を軸着する第２回動軸４９を前後方向へ貫通した状態で回動可能に支持している。そして、入賞装置基部３７のうち第１回動軸４８の下方には、後述するリンク機構４０の一部を軸着するリンクベース５０（図５および図７（ｂ）参照）を止着している。
【００１５】
第１可動片３８は、入賞口３６ａを閉成可能な大きさを有する縦長な円弧状の部材であり、当該第１可動片３８の下端部（軸着部）を入賞口３６ａの下縁部近傍に配置して第１回動軸４８へ嵌合し、第１回動軸４８を中心にして入賞装置基部３７に回動自在な状態で軸着されている。そして、図７（ｂ）に示すように、第１回動軸４８の周りに開方向Ａ（図７（ｂ）中時計方向）へ回動して、第１可動片３８の上端部を入賞口３６ａの上縁部から遠ざけると、入賞口３６ａを開放し、変動入賞装置３５へ遊技球を入賞可能な開状態に変換する。一方、閉方向Ｂ（図７（ｂ）中反時計方向）へ回動して、第１可動片３８の上端部を入賞口３６ａの上縁部の近傍に配置すると、入賞口３６ａを閉成し、変動入賞装置３５へ遊技球を入賞不能な閉状態に変換する。
【００１６】
第２可動片３９は、固定片４４の側方（図７（ａ）中左側方）に配置され、第１可動片３８の前方を左右方向へ回動可能な部材である。そして、略半楕円形の縦長な薄板からなる可動カバー部３９ａを備え、該可動カバー部３９ａの下部の一側（図４中右側）に円筒状の軸受部３９ａを設けている。また、該軸受部３９ａに第２回動軸４９を嵌合し、第２回動軸４９を中心にして入賞装置基部３７に回動自在な状態で軸着されている。そして、図７（ｂ）に示すように、第２回動軸４９の周りに開放方向Ｃ（図７（ｂ）中時計方向）へ回動して、第２可動片３９の上端部を固定片４４の上端部から遠ざけると、可動カバー部３９ａを入賞口３６ａの前縁部および第１可動片３８の前方から側方へ外して、第１可動片３８を前方へ露出する開放状態に変換する。一方、閉成方向Ｄ（図７（ｂ）中反時計方向）へ回動して、第２可動片３９の上端部（すなわち可動カバー部３９ａの上端部）を固定片４４の上端部の近傍（側方）に配置すると、可動カバー部３９ａを入賞口３６ａの前縁部および第１可動片３８の前方に配置して、第１可動片３８を覆い隠す閉成状態に変換する。
【００１７】
なお、第２可動片３９を閉成状態に変換すると、変動入賞装置３５は、図７（ａ）に示すように、第２可動片３９および固定片４４とを左右に並べて配置して縦長な略楕円形を呈する装飾体を形成する。また、第２可動片３９を開放状態に変換すると、図８（ａ）および図９（ａ）に示すように、第２可動片３９を傾斜させて第２可動片３９と固定片４４とを逆レ字状に配置して、略楕円形の装飾体を縦に分割して上側を開いた様子を模した状態を形成する。
【００１８】
さらに、第２可動片３９の裏側には、固定片４４の下部に当接可能なストッパー３９ｃを後方へ突設し、第２可動片３９を開放状態に変換すると、ストッパー３９ｃが固定片４４の下部に当接して第２可動片３９が所定の角度で傾いた姿勢を維持できるように構成されている。また、第２可動片３９の回動中心となる第２回動軸４９の後端部には、アーム部５２を縦向きに延設し、該アーム部５２の先端にコイルばね等の付勢部材５３の一端を係止し、該付勢部材５３の他端を後述する駆動機構４１の一部に係止して、付勢部材５３の付勢力により第２回動軸４９および第２可動片３９を閉成方向Ｄへ回転するように常時付勢している（図６参照）。
【００１９】
リンク機構４０は、入賞装置基部３７の裏側のうち第１可動片３８および第２可動片３９の後方に配置された機構であり、第１リンク部材５６と、第２リンク部材５７と、第１リンク部材５６と第２リンク部材５７とを係合可能な係合機構５８とを備えて構成されている。第１リンク部材５６は、第１回動軸４８および第１可動片３８と駆動機構４１とを接続する部材であり、第１リンク部材５６の上部に第１回動軸４８の後端部を接続し、第１回動軸４８を中心に第１可動片３８と共回りして開方向Ａあるいは閉方向Ｂへ回動できるように構成されている。また、第１リンク部材５６の上下方向の中間部分、すなわち第１リンク部材５６の回転中心から離れた部位には、第１リンクピン６１を後方へ向けて突設し、該第１リンクピン６１を後述する駆動機構４１に係合（接続）するように構成されている。
【００２０】
第２リンク部材５７は、第１リンク部材５６と第２可動片３９とを接続する部材であり、第１リンク部材５６よりも前方に配置されている。また、第２リンク部材５７の一端部（図７（ｂ）中右端部）から第２リンク軸６２を第１回動軸４８および第２回動軸４９と平行な姿勢で前方へ延設し、該第２リンク軸６２の前端部を入賞装置基部３７のリンクベース５０へ回動自在な状態で軸着して正方向Ｅ（図７（ｂ）中反時計方向）あるいは逆方向Ｆ（図７（ｂ）中時計方向）へ回動できるように構成されている。さらに、第２リンク部材５７の他端部（図７（ｂ）中左端部）を第２回動軸４９寄りに配置し、他端部の後側から第２リンクピン６４を後方へ向けて延設し、該第２リンクピン６４を第２回動軸４９の後端部から第２リンク部材５７側（図７中右側）へ横向きに延設された係合受部６５へ係合している。
【００２１】
係合機構５８は、第１リンク部材５６の下端部から前方へ延設された係合ピン６７と、第２リンク部材５７の上端部から上方へ延設され、係合ピン６７に一方向（図７中左方向）からのみ係合可能な係合爪６８とから構成されている。そして、係合ピン６７が係合爪６８の一側面（図７中右側面）に当接して第１リンク部材５６と第２リンク部材５７とを係合する係合状態（図７（ｂ）および図８（ｂ）参照）と、係合ピン６７と係合爪６８とが離間して係合状態を解除する解除状態（図９（ｂ）参照）とに変換できるように構成されている。
【００２２】
そして、駆動機構４１は、リンク機構４０を後方から覆う状態で入賞装置基部３７の裏側に配置された機構であり、図６に示すように、入賞装置基部３７の後方に止着される駆動源ホルダ７０と、該駆動源ホルダ７０に収容される駆動ソレノイド（駆動源）７１とから構成されている。駆動源ホルダ７０は、その裏面から前方へ凹ませて横長な駆動源収容空間部７２をリンク機構４０側（図６中右側）へ下り傾斜した状態で形成し、該駆動源収容空間部７２内に駆動ソレノイド７１を収容している。また、駆動源収容空間部７２のうちリンク機構４０の後方に位置する箇所には、前後に貫通したリンク収容開口７３を開設して駆動源収容空間部７２の傾斜下端側へ連通し、リンク機構４０の後端部、具体的には、第１リンク機構４０から後方へ突設された第１リンクピン６１を駆動源収容空間部７２内に臨ませている。そして、駆動源収容空間部７２のうちリンク収容開口７３とは反対側（図６中左側）には、付勢部材５３の他端を係止する係止部７４を設けている。
【００２３】
また、駆動ソレノイド７１は、リンク機構４０側へ向けて傾斜した横向き姿勢で駆動源収容空間部７２内に収容されている。また、駆動ソレノイド７１のプランジャ７１ａをリンク機構４０の後方へ配置し、プランジャ７１ａにブロック状の接続部材７６を止着し、該接続部材７６からリンク接続部７７を上方へ延設し、該リンク接続部７７に第１リンクピン６１を遊嵌（係合）している。
【００２４】
このような構成を備えた変動入賞装置３５において、駆動ソレノイド７１を励磁すると、プランジャ７１ａが収縮して接続部材７６を駆動源収容空間部７２の中央側に移動する。すると、第１リンクピン６１、第１リンク部材５６および第１回動軸４８が開方向Ａへ回動して第１可動片３８が開状態に変換する（図８参照）。また、第１リンク部材５６が開方向Ａへ回動すると、係合機構５８の係合状態、すなわち係合ピン６７と係合爪６８との当接を維持した状態で、係合ピン６７が係合爪６８を第２回動軸４９側（図８（ｂ）中左側）へ押圧する。すると、第２リンク部材５７が正方向Ｅへ回動し、第２リンクピン６４により係合受部６５を下方へ押し下げる。この結果、第２回動軸４９が付勢部材５３の付勢力に抗しながら開放方向Ｃへ回動して第２可動片３９が開放状態に変換する。このようにして、変動入賞装置３５は、駆動機構４１（駆動ソレノイド７１）により第１リンク部材５６を駆動して第１可動片３８を開状態へ変換すると、第１可動片３８および第１回動軸４８の回動動作により生じる動力を、係合状態の係合機構５８を介して第２リンク部材５７へ伝達し、この伝達された動力によって第２可動片３９を開放状態へ変換する。したがって、第１可動片３８を状態変換させる駆動源と、第２可動片３９を状態変換させる駆動源とを別個に設ける必要がなく、変動入賞装置３５の小型化を図ることができる。
【００２５】
また、励磁状態の駆動ソレノイド７１を消磁すると、駆動ソレノイド７１の復帰スプリングの復元力によりプランジャ７１ａが伸長して接続部材７６を駆動源収容空間部７２の一側へ移動する。すると、第１リンクピン６１、第１リンク部材５６および第１回動軸４８が閉方向Ｂへ回動して第１可動片３８が閉状態に変換する（図７参照）。また、第１リンク部材５６が閉方向Ｂへ回動すると、係合ピン６７が係合爪６８に係合可能な方向とは反対方向（図７（ｂ）中左方向）へ移動し、係合ピン６７により係合爪６８を押圧する状態を解除する。すなわち、係合ピン６７と係合爪６８とが離間することを許容する。この結果、第２リンク部材５７が逆方向Ｆへ回動することが許容され、さらには、第２リンクピン６４および係合受部６５が係合した状態で上方へ移動すること、ひいては第２回動軸４９が閉成方向Ｄへ回動することが許容される。したがって、第２回動軸４９が付勢部材５３から受ける付勢力により閉成方向Ｄへ回動し、第２可動片３９が閉成状態に変換する。このようにして、変動入賞装置３５は、駆動機構４１（駆動ソレノイド７１）により第１リンク部材５６を駆動して第１可動片３８を閉状態へ変換すると、係合機構５８が解除状態へ変換することを許容し、第１可動片３８と第２可動片３９とがリンク機構４０を介して連動することを阻止する。そして、第２可動片３９を付勢部材５３の付勢力により閉成状態へ変換する。
なお、第１可動片３８が閉状態に変換し、第２可動片３９が閉成状態に変換すると、係合機構５８は、係合ピン６７と係合爪６８とを当接（係合）して係合状態を維持する。
【００２６】
次に、変動入賞装置３５を備えた遊技盤１の作用について説明する。なお、変動入賞装置３５は、駆動ソレノイド７１を消磁して第１可動片３８を閉状態に変換し、第２可動片３９を閉成状態に変換し、係合機構５８を係合状態に変換しているものとする。
上記のような構成の遊技盤１を備えたパチンコ遊技機において、発射装置（図示せず）から遊技球を発射すると、この遊技球は、ガイドレール３に案内されて遊技領域５の上部に達した後、障害釘や風車により方向を変えながら遊技領域５内を流下し、普図始動ゲート９、一般入賞口１１、始動入賞口１０に入賞した場合には所定の賞球が遊技者に付与され、何れにも入賞しなかった場合には、アウト口１４から遊技盤１の裏側に回収される。そして、遊技球が普図始動ゲート９に入賞すると、パチンコ遊技機は、普図変動表示部（図示せず）にて補助遊技（普図変動表示ゲーム）を行い、補助遊技の結果態様が「当たり」になった場合に、始動入賞口１０の開閉部材１０ａが開いて、遊技球が始動入賞口１０へ入賞し易い状態に変換する。
【００２７】
そして、遊技球が始動入賞口１０に入賞すると、可変表示装置６の表示部７において可変表示遊技（特図変動表示ゲーム）が行われる。この可変表示遊技の結果、表示部７における結果態様（表示内容）が特別結果態様（大当たり表示）になると、パチンコ遊技機は、遊技者にとって有利な特別遊技状態（大当たり状態）を発生し、複数のラウンドに区切って特別遊技を実行する。このとき、或るラウンドにおいては大入賞口１３を開放して遊技球を入賞可能とするとともに、駆動ソレノイド７１を消磁した常態に維持し、変動入賞装置３５の第１可動片３８を閉状態に維持して入賞不能とする。また、第２可動片３９を付勢部材５３の付勢力により閉成状態に維持し、閉成状態の第２可動片３９により第１可動片３８の前方および入賞通路３６の入賞口３６ａの前方を覆い隠す。したがって、第１可動片３８の前方に第２可動片３９を配置することができ、第２可動片３９によりピアノ線等の不正部材が第１可動片３８に到達することを阻止し易い。このことから、不正部材により第１可動片３８を開状態に維持して遊技球を変動入賞装置３５へ入賞させようとする不正行為が行われることを防ごうとすることができる。
【００２８】
一方、大入賞口１３を開放しない特定のラウンドにおいては、大入賞口１３を閉成し、変動入賞装置３５を開放、すなわち、駆動ソレノイド７１を励磁して第１可動片３８を開状態へ変換し、さらにリンク機構４０を介して第２可動片３９を連動して開放状態へ変換し、変動入賞装置３５へ遊技球を入賞可能とする。このとき、第２可動片３９は、第１可動片３８の前方及び入賞通路３６の入賞口３６ａの前方を横方向へ移動して、開状態の第１可動片３８と開放された入賞口３６ａを前方へ露出する。したがって、変動入賞装置３５の状態変換を複雑にして装飾演出を高めることができ、遊技の興趣の向上を図ることができる。さらに、変動入賞装置３５の装飾部品としても機能する各可動片３８，３９を前後に配置した状態で変換することができ、装飾性を高めた変動入賞装置３５であっても、その配置スペースが上下左右に広くなることを抑えることができる。このことから、限られたパチンコ遊技機内の空間、具体的には、限られた大きさの遊技領域５を有効に活用することができる。
【００２９】
そして、万一、第２可動片３９が不正部材により開放状態に維持されたとしても、図９に示すように、第１可動片３８を閉状態に変換すると、係合ピン６７と係合爪６８とが離間して係合機構５８が解除状態に変換する。この結果、第２可動片３９の不正部材による拘束力が第１リンク部材５６へ伝達しない。したがって、第２可動片３９が開放状態であることに拘らず、第１回動軸４８および第１可動片３８が閉方向へ回動して第１可動片３８を閉状態に変換することができる。このことから、第１可動片３８が不正操作されて開きっ放しになる不具合をなくすことができ、不正行為により遊技球が変動入賞装置３５へ入賞することを阻止することができる。
【００３０】
ところで、上記実施形態では、第１可動片３８を第１回動軸４８を中心にして回動する回動部材で構成し、第２可動片３９を第２回動軸４９を中心にして回動する回動部材で構成したが、本発明はこれに限定されない。例えば、遊技盤１上で第１可動片をスライド移動させる第１スライド機構を備え、該第１スライド機構を介して駆動機構と第１可動片とを接続して、第１可動片を開状態と閉状態とに変換できるように構成してもよい。あるいは、遊技盤１上で第２可動片をスライド移動させる第２スライド機構を備え、該第２スライド機構およびリンク機構を介して第２可動片と第１可動片とを連動可能とし、第２可動片を開放状態と閉成状態とに変換できるように構成してもよい。
【００３１】
また、係合機構５８を第１リンク部材５６に設けた係合ピン６７と、第２リンク部材５７に設けた係合爪６８とで構成したが、本発明はこれに限定されず、第１リンク部材と第２リンク部材とを係合する係合状態と、係合状態を解除する解除状態とに変換可能であれば、どのような構成の係合機構であってもよい。さらに、リンク機構４０は、２つのリンク部材を備えることに限定されない。要は、第１可動片を開状態に変換すると、第２可動片を連動して開放状態に変換し、第１可動片を開状態に変換すると、第１可動片と第２可動片との連動を阻止可能とする構成を備えていれば、どのような構成でもよく、例えば、３つ以上のリンク部材を備えてもよい。
【００３２】
さらに、変動入賞装置３５は、遊技領域５を流下する遊技球を入賞可能な位置であれば、どこに配置してもよい。例えば、可変表示装置６の側部に配置してもよいし、あるいは、可変表示装置６よりも下方に配置してもよい。
【００３３】
なお、前記した実施の形態は全ての点で例示であって制限的なものではないと考えられるべきである。本発明は、上記した説明に限らず特許請求の範囲によって示され、特許請求の範囲と均等の意味及び範囲内での全ての変更が含まれるものである。
【図面の簡単な説明】
【００３４】
【図１】遊技盤の正面図である。
【図２】可変表示装置の斜視図である。
【図３】可変表示装置の分解斜視図である。
【図４】変動入賞装置の分解斜視図である。
【図５】駆動機構を取り外した変動入賞装置の側方から見た斜視図である。
【図６】変動入賞装置の背面図である。
【図７】第１可動片を閉状態に変換し、第２可動片を閉成状態に変換した変動入賞装置の説明図であり、（ａ）は正面図、（ｂ）は変動入賞装置の要部の後方斜視図である。
【図８】第１可動片を開状態に変換し、第２可動片を開放状態に変換した変動入賞装置の説明図であり、（ａ）は正面図、（ｂ）は変動入賞装置の要部の後方斜視図である。
【図９】第１可動片を閉状態に変換し、第２可動片を開放状態に維持した変動入賞装置の説明図であり、（ａ）は正面図、（ｂ）は変動入賞装置の要部の後方斜視図である。
【符号の説明】
【００３５】
１  遊技盤
５  遊技領域
６  可変表示装置
１０  始動入賞口
１６  凹室
１７  表示装置基部
１８  装飾枠体
２４  枠体ベース部材
２４ａ  ベース部材開口
２５  装飾部材
２８  球転動部
２９  装飾ユニット
３０  球導出路
３５  変動入賞装置
３６  入賞通路
３６ａ  入賞口
３７  入賞装置基部
３８  第１可動片
３９  第２可動片
４０  リンク機構
４１  駆動機構
４４  固定片
４８  第１回動軸
４９  第２回動軸
５０  リンクベース
５２  アーム部
５３  付勢部材
５６  第１リンク部材
５７  第２リンク部材
５８  係合機構
６１  第１リンクピン
６２  第２リンク軸
６４  第２リンクピン
６５  係合受部
６７  係合ピン
６８  係合爪
７１  駆動ソレノイド
【図１】
2007202885.tif 000003
【図２】
2007202885.tif 000004
【図３】
2007202885.tif 000005
【図４】
2007202885.tif 000006
【図５】
2007202885.tif 000007
【図６】
2007202885.tif 000008
【図７】
2007202885.tif 000009
【図８】
2007202885.tif 000010
【図９】
2007202885.tif 000011